(57)【要約】【課題】取り付け、取り外しが容易で、かつレールにガタつきなく強固に固定できる吊り下げ固定具を提供する。【解決手段】  吊り下げ具は、レールのスライド溝内に挿入される差し込み部１１とスライド溝の外側のレールに当接するフランジ部１２とからなるベース台１と、先端部に鉤部２２を有する平板部２０とベース台１に設けられた軸穴１４に対して挿入される軸部２１とを有する固定部２と、固定部２の軸部２１に取り付けられる摘み部５と、固定部２をベース台１方向に付勢するスプリング４と、からなり、鉤部２２はスライド溝への挿入時並びに固定時にはスプリング４により、ベース台１の差し込み部１１の先端表面部に当接され、鉤部２２の回転時には、摘み部５を押し込み、固定部２を移動させ、差し込み部１１から鉤部２２が離間する。【選択図】  図１
2008000178.tif 000002
【特許請求の範囲】
【請求項１】
下部を開口し、左右内面下端からそれぞれ内向き支持片が突出したスライド溝を有するレールに、鉤部が取り付けられた差し込み部を挿入させ、前記鉤部を回転させ、前記支持片と鉤部とを係合させて吊り下げ具を固定する吊り下げ固定具であって、前記吊り下げ具は、前記レールのスライド溝内に挿入される差し込み部とスライド溝の外側のレールに当接するフランジ部とからなるベース台と、先端部に鉤部を有する平板部と前記ベース台に設けられた軸穴に対して挿入される軸部とを有する固定部と、前記固定部の軸部に取り付けられる摘み部と、前記固定部を前記ベース台方向に付勢する付勢手段と、からなり、前記鉤部は前記スライド溝への挿入時並びに固定時には前記付勢手段により、前記ベース台の差し込み部の先端表面部に当接され、前記鉤部の回転時には、前記摘み部を押し込み、前記固定部を移動させ、前記差し込み部から前記鉤部が離間することを特徴とする吊り下げ固定具。
【請求項２】
前記ベース台の差し込み部に、固定時に前記固定部の鉤部の平板部を固定する凹所が設けられていることを特徴とする請求項１に記載の吊り下げ固定具。
【請求項３】
前記ベース台の差し込み部に、前記スライド溝の挿入時に前記固定部の平板部の回転を阻止する突部が設けられていることを特徴とする請求項１又は２に記載の吊り下げ固定具。
【発明の詳細な説明】
【技術分野】
【０００１】
この発明は、吊り下げ固定具に関し、天井などに取り付けられたスライド溝を有するレールにがたつきや外れたりせずに確実に固定できる吊り下げ固定具に関する。
【背景技術】
【０００２】
従来の展示パネル用吊り下げ装置のフック１０１は、図１２に示すように、レール１０２のスライド溝１０３にそのヘッド１０４を挿入し、挿入後回転させてレール１０２と係合させている。ヘッド１０４はスライド溝１０３に挿入できるようにその両側を削除してある。このフック１０１のヘッド１０４の上面にはゴム等の弾性体１０５を接着して、スライド溝１０３にフックを固定するようにしてある。
【特許文献１】特開２００３−２２７２１９号公報
【発明の開示】
【発明が解決しようとする課題】
【０００３】
フック１０１のヘッド１０４の上面にはゴム等の弾性体１０５を接着して、スライド溝１０３にフックを固定するようにしてあるが、スライド溝１０３の溝の深さが弾性体１０５に対して深すぎたりすると、フック１０１はガタついたり外れたりする。
【０００４】
また、フックがガタついたり外れたりすると、危険である。特に、天井から吊り下げたロッドなどに陳列棚等を取り付けるような場合には、より強固にガタつきなくレールに吊り下げ固定具を固定する必要がある。
【０００５】
この発明は、かかる観点に鑑みなされたものにして、取り付け、取り外しが容易で、かつレールにガタつきなく強固に固定できる吊り下げ固定具を提供することを目的とする。
【課題を解決するための手段】
【０００６】
この発明は、下部を開口し、左右内面下端からそれぞれ内向き支持片が突出したスライド溝を有するレールに、鉤部が取り付けられた差し込み部を挿入させ、前記鉤部を回転させ、前記支持片と鉤部とを係合させて吊り下げ具を固定する吊り下げ固定具であって、前記吊り下げ具は、前記レールのスライド溝内に挿入される差し込み部とスライド溝の外側のレールに当接するフランジ部とからなるベース台と、先端部に鉤部を有する平板部と前記ベース台に設けられた軸穴に対して挿入される軸部とを有する固定部と、前記固定部の軸部に取り付けられる摘み部と、前記固定部を前記ベース台方向に付勢する付勢手段と、からなり、前記鉤部は前記スライド溝への挿入時並びに固定時には前記付勢手段により、前記ベース台の差し込み部の先端表面部に当接され、前記鉤部の回転時には、前記摘み部を押し込み、前記固定部を移動させ、前記差し込み部から前記鉤部が離間することを特徴とする。
【０００７】
また、前記ベース台の差し込み部に、固定時に前記固定部の鉤部の平板部を固定する凹所を設けるように構成すると良い。ことを特徴とする請求項１
更に、前記ベース台の差し込み部に、前記スライド溝の挿入時に前記固定部の平板部の回転を阻止する突部を設けると良い。
【発明の効果】
【０００８】
この発明は、レールと固定時には、付勢手段の付勢力により、固定部の鉤部とレールの支持片とが係合するとともに、固定部の平板部は、差し込み部の凹所に入り込み規制される。従って、固定部の鉤部とレールの支持片とが係合した状態においては、摘み部を誤って回転させることにより、吊り下げ部が落下する虞はない。また、付勢手段の付勢力により、ガタつき等も無くすことができる。
【発明を実施するための最良の形態】
【０００９】
この発明の実施の形態について図面を参照しながら詳細に説明する。なお、図中同一または相当部分には同一符号を付し、説明の重複を避けるためにその説明は繰返さない。
【００１０】
図１は、この発明の実施形態にかかる吊り下げ部を示す一部を断面にした正面図、図２は、この発明の実施形態にかかる吊り下げ部を示す正面図であり、固定部を上下移動させた状態を示している。この図１は、固定部を回転させて固定時状態の位置にした状態である。
【００１１】
図３は、吊り下げ部のベース台を示す側面図、図４は、吊り下げ部のベース台を示す正面図、図５は、吊り下げ部のベース台を示す上面図である。図６は、吊り下げ部の固定部の上面図、図７は、吊り下げ部の固定部の側面図、図８は、吊り下げ部の固定部の正面図である。
【００１２】
ベース台１のベース本体１０にレールのスライド溝内に挿入される差し込み部１１が設けられ、この差し込み部１１のベース本体部分にスライド溝の外側のレールに当接するフランジ部１２が設けられている。このフランジ１２の上には吊り下げ具をレールに固定時にレールに傷がつくのを防ぐため樹脂製ワッシャ６が取り付けられている。
【００１３】
ベース本体１０の外周部にロッドが取り付けられるロッドベース（図示せず）がねじ込まれるねじ部１３が設けられている。
【００１４】
図１及び図３ないし図５に示すように、ベース台１０には、固定部２の軸部２１を移動自在に支持する軸穴１４が設けられている。軸穴１４を取り囲むように、固定部２を図中矢印Ａ方向に付勢するスプリング４を収納する収納凹所１５が設けられている。この収納凹所１５は、ボス部１６の内周側に設けられている。このボス部と１６の外側には摘み部５がはまり込む凹所１７が設けられている。
【００１５】
図１及び図６ないし図８に示すように、固定部２は、先端部に鉤部２２を有する平板部２０とベース台１に設けられた軸穴１４に対して挿入される軸部２１を有する。さらに、固定部２をスライド溝内に挿入時にベース台１の差し込み部１１の突部１１０と当接し、固定部２の回転を阻止する段部２３が設けられている。
【００１６】
固定部２の軸部２１の先端部には摘み部５が取り付けられ、ホーロービス７により摘み部５が軸部２１に固定されている。
【００１７】
差し込み部１１には、固定時に固定部２の平板部２０を固定する凹所１１１が設けられている。さらに、突部１１０と対向する箇所には突起１１２が設けられており、固定部２をスライド溝内に挿入時に、突部１１０とにより平板部２０を固定し、固定部２の回転を阻止する。
【００１８】
図２は、この発明の実施形態にかかる吊り下げ部を示す正面図であり、固定部を上下移動させた状態を示している。固定部２を差し込み部１１との係合を解除するときには、図２の実線で示すように、摘み部５をスプリング４の付勢力に抗して押し込み、差し込み部１１から固定部２の平板部２０を離間させる。この状態で摘み部５を回転させることで、固定部２は回転し、スライド溝への固定状態、挿入時の差し込み部１１への固定状態に選択することができる。
【００１９】
次に、図９及び図１０を参照して、レールのスライド溝へ吊り下げ部を取り付ける手順を説明する。図９は、レールのスライド溝へ吊り下げ部を取り付ける手順を示す模式図であり、（Ａ）は吊り下げ部を挿入する状態、（Ｂ）は固定した状態を示し、図１０は、吊り下げ部の固定部と差し込み部を示す上面図であり、（Ａ）は吊り下げ部を挿入する状態、（Ｂ）は固定した状態を示している。
【００２０】
下部を開口し、左右内面下端からそれぞれ内向き支持片８１が突出したスライド溝８２を有するレール８が天井等に固定されている。このレール８のスライド溝８２内に、鉤部２２を有する固定部２が取り付けられた差し込み部１１を挿入させる。このとき、図１０に示すように、固定部２の平板部２０は、ベース台１の差し込み部１１の突部１１０と突起１１２に挟まれて両者が係合して、固定部２の回転が阻止された状態に保たれている。この状態であれば、摘み部５を回転させようとしても、突部１１０または突起１１２に平板部２０が当接し、摘み部５を回転させることはできない。
【００２１】
この後、摘み部５をスプリング４の付勢力に抗して押し上げ、固定部２の平板部２０をベース台１の差し込み部１１の突部１１０と突起１１２から離間させる。この状態であれば、摘み部５を回転させることができる。
【００２２】
図９の（Ｂ）に示すように、摘み部５を回転させる。このとき、平板部２０の段部２３と突起１１０とは、平板部２０を離間させた状態でも両者は当接する寸法に形成されている。このため、摘み部５は、突起１１０に当接しない方向にのみ回転を規制される。摘み部５を９０度回転させると、図１０（Ｂ）に示すように、平板部２０の同じ辺の段部２３とは逆の箇所が突起１１０に当接し、この位置で摘み部５の回転ができなくなる。この状態がレール８の支持片８１と固定部２の鉤部２２が係合する位置となる。
【００２３】
この位置で摘み部５を離すと、スプリング４の付勢力により、固定部２は差し込み部１１の方向に移動する。そして、固定部２の鉤部２２とレール８の支持片８１とが係合し、ベース台１のフランジ１２との間で挟み込まれる。そして、固定部２の平板部２０は、差し込み部１１の凹所１１１に入り込み、固定部２が固定される。この状態で摘み部５を回そうとしても凹所１１１に固定部２の平板部２が収容されているので、回転は阻止される。従って、固定部２の鉤部２２とレール８の支持片８１とが係合した状態においては、摘み部５を誤って回転させることにより、吊り下げ部が落下する虞はない。
【００２４】
そして、この吊り下げ部を外す場合には、摘み部５をスプリング４の付勢力に抗して押し上げ、固定部２の平板部２０をベース台１の凹所１１１から離間させる。この状態であれば、摘み部５を回転させることができる。このように、両者を離間させた後、固定時とは逆方向へ摘み部５を回転させ、突部１１０または突起１１２に平板部２０が当接するまで摘み部５を回転させると、図１０の（Ａ）の状態になり、レール８のスライド溝８２から吊り下げ具を簡単に取り外すことができる。
【００２５】
このように、この発明の吊り下げ固定具によれば、レール８と固定時には、スプリング４の付勢力により、固定部２の鉤部２２とレール８の支持片８１とが係合するとともに、固定部２の平板部２０は、差し込み部１１の凹所１１１に入り込み規制される。従って、固定部２の鉤部２２とレール８の支持片８１とが係合した状態においては、摘み部５を誤って回転させることにより、吊り下げ部が落下する虞はない。また、スプリング４の付勢力により、ガタつき等も無くすことができる。
【００２６】
次に、天井に設けたレールにこの発明の吊り下げ固定具を取り付ける場合につき説明する。図１１は、天井する天井に設けたレールにこの発明の吊り下げ固定具を取り付ける例を示す斜視図である。
【００２７】
図１１に示すように、スライド溝を有するレール８を天井に取り付ける。図１０の（Ａ）の状態に固定部２を差し込み部１１にセットする。差し込み部１１をレール８の溝に挿入させる。その後、摘み部５を押し込みながら、９０度回転させる。摘み部５から手を外すと、図１０の（Ｂ）の状態になり、レール８に吊り下げ具が固定される。取り外しの際には、摘み部５を押し込みながら、上記とは逆に９０度回すと、図１０の（Ａ）の状態になり、吊り下げ具を取り外すことができる。
【００２８】
レール８に吊り下げ具が固定した後、ロッドベース３００をベース第１のねじ部にねじ込みレール８の表面までロッドベース３００を回転させて取り付ける。このロッドベース３００の取り付けで、天井のレールの所定位置にロッドベース３００を固定することができる。そして、このロッドベース３００にロッド３０１を差し込み固定することで、天井からロッド３０１を吊り下げることができる。
【００２９】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００３０】
この発明の吊り下げ固定具は店舗用の陳列などの場合に天井からロッドを吊り下げる場合の固定具に用いることができる。
【図面の簡単な説明】
【００３１】
【図１】この発明の実施形態にかかる吊り下げ部を示す一部を断面にした正面図である。
【図２】この発明の実施形態にかかる吊り下げ部を示す正面図であり、固定部を上下移動させた状態を示している。
【図３】吊り下げ部のベース台を示す側面図である。
【図４】吊り下げ部のベース台を示す正面図である。
【図５】吊り下げ部のベース台を示す上面図である。
【図６】吊り下げ部の固定部の上面図である。
【図７】吊り下げ部の固定部の側面図である。
【図８】吊り下げ部の固定部の正面図である。
【図９】レールのスライド溝へ吊り下げ部を取り付ける手順を示す模式図であり、（Ａ）は吊り下げ部を挿入する状態、（Ｂ）は固定した状態を示している。
【図１０】吊り下げ部の固定部と差し込み部を示す上面図であり、（Ａ）は吊り下げ部を挿入する状態、（Ｂ）は固定した状態を示している。
【図１１】天井する天井に設けたレールにこの発明の吊り下げ固定具を取り付ける例を示す斜視図である。
【図１２】従来の展示パネル用吊り下げ装置のフックをレールに装着した状態を示す縦断面図である。
【符号の説明】
【００３２】
１  ベース台
１０  ベース本体
１１  差し込み部
１２  フランジ
１３  ねじ部
２  固定部
２０  平板部
２１  軸部
２２  鉤部
５  摘み部
【図１】
2008000178.tif 000003
【図２】
2008000178.tif 000004
【図３】
2008000178.tif 000005
【図４】
2008000178.tif 000006
【図５】
2008000178.tif 000007
【図６】
2008000178.tif 000008
【図７】
2008000178.tif 000009
【図８】
2008000178.tif 000010
【図９】
2008000178.tif 000011
【図１０】
2008000178.tif 000012
【図１１】
2008000178.tif 000013
【図１２】
2008000178.tif 000014